(57)【要約】      （修正有）【課題】使用者の衣服や化粧への影響をより少なくして、さらに安心して、快適に仮眠を取ることができる枕を提供する。【解決手段】机の上で用いる枕であり、上側が開いた中空の箱状に形成され、使用者の額、顎および頬の面に沿った凹状の曲面３２が上側の開口３１の縁に設けられ、内部の空間を換気するための穴３６が側面に設けられている顔受け２１と、顔受けの上側に使用者が顔を当てたときに手前側となる側面であって、左右方向に広がる側面から下面にかけて凸状の可展面状に形成されている、顔受けの下面から突出する支え２２と、支えの凸状の可展面である部分に設けられている滑り止め４１とを備える。【選択図】図４
0003197395.tif 000002
【実用新案登録請求の範囲】
【請求項１】
机上で用いる枕において、
上側が開いた中空の箱状に形成され、使用者の額、顎および頬の面に沿った凹状の曲面が上側の開口の縁に設けられ、内部の空間を換気するための穴が側面に設けられている顔受けと、
前記顔受けの上側に前記使用者が顔を当てたときに手前側となる側面であって、左右方向に広がる側面から下面にかけて凸状の可展面状に形成されている、前記顔受けの下面から突出する支えと、
前記支えの凸状の可展面である部分に設けられている滑り止めと
を備える枕。
【請求項２】
請求項１に記載の枕において、
前記支えの突出する長さは、３ｃｍから９ｃｍまでのいずれかである
枕。
【請求項３】
請求項１に記載の枕において、
前記支えは、略直方体状に形成されている
枕。
【請求項４】
請求項１に記載の枕において、
前記顔受けの上側の開口の縁上に配置され、前記顔受けの上側に前記使用者が顔を当てたとき変形して、前記使用者の額、顎または頬に加わる力を分散し、当たりを和らげる緩衝材をさらに備える
枕。
【請求項５】
請求項４に記載の枕において、
前記緩衝材は、前記顔受けの上側の開口の縁の全体を覆う
枕。
【請求項６】
請求項４に記載の枕において、
前記緩衝材は、水切りの良い素材または水が吸収されない素材で成形されている
枕。
【考案の詳細な説明】
【技術分野】
【０００１】
本考案は枕に関し、特に、机上で用いる枕に関する。
【背景技術】
【０００２】
事業者が労働者に対して行う心理的な負担の程度を把握するための検査であるストレスチェックの義務化が予定されている。ストレスチェック制度では、事業者は、面接指導の結果に基づき、厚生労働省令で定めるところにより、医師の意見を聴き、その意見を勘案し、必要があると認めるときは、就業上の措置を講じなければならないとされている。
【０００３】
また、経済協力開発機構（Organisation for Economic Co-operation and Development（OECD））が行った調査では、日本人の平均睡眠時間が、外国人に比べて短いと報告されている。
【０００４】
このような状況の中、近年、ストレスの解消などの効果から昼寝を見直す動きが広がっている。１５分程度の昼寝で業務の効率が上がるとする見解がある。この中には、眠気のサイクルを考慮すると、昼休みの時間に昼寝などの仮眠を取ることが効果的であるとの主張もある。
【０００５】
一方で、食後すぐに、机に突っ伏して上体が深く折れた状態で仮眠を取ると、胃を圧迫して消化に良くないとする意見もある。何らの支えなく前かがみの姿勢を保持して仮眠することも考えられるが、頭の重さが背中、腰、腕にかかり、痛みや肩のこりの原因になってしまう。
【０００６】
従来、顔面の目、鼻、口の外側を受ける座面を上面側に有する馬蹄形に形成された座部の底面に、高さ調節可能な複数本の脚部を設けた台座と、前記座部の座面に、座面に沿って載置される枕部とからなり、机で短時間の仮眠をとる際に、机上に置き、台座の座部の座面に載置された枕部に顔面を当てることができるようにしたものもある（例えば、特許文献１参照）。
【０００７】
また、顔受け部に、使用者の鼻および口を入れるための空間を形成する凹部、凹部に使用者が鼻および口を入れたとき使用者の額および顎の面に沿って当接する曲面状に形成されている当接部、並びに凹部によって形成される空間を換気するための穴を設け、１５センチメートル乃至３０センチメートルの長さの棒状の支えを、顔受け部の凹部に対向する側に設けられている接合部に接合するようにしたものもある（例えば、特許文献２参照）。
【先行技術文献】
【特許文献】
【０００８】
【特許文献１】登録実用新案第３１２０９２６号公報
【特許文献２】登録実用新案第３１７６６８１号公報
【考案の概要】
【考案が解決しようとする課題】
【０００９】
上述のように、椅子に座った状態で、机の上面の近くに頭を置くような、いわゆる突っ伏した状態で仮眠を取ろうとすると、腹や胸が強く折れ曲がり、圧迫されてしまい、苦しくなってしまう。このような状態では、充分な休息を得ることはできない。
【００１０】
また、職務中において、男性は、ネクタイ、ワイシャツ、背広を着用し、女性は、化粧をしているのが通常である。特許文献１に記載の机上枕や従来の枕を使用すると、男性の場合、ネクタイや背広が机の角に当たってしまい、型くずれが起き、跡が残ってしまう。女性の場合、無理な角度で顔に当たってしまうので、化粧が崩れてしまう。
【００１１】
さらにまた、睡眠が深くなると、身体の力の抜けてしまうことがある。このような場合にも、身体のバランスを崩さない程度に、枕によって身体を支えることが好ましい。身体のバランスが崩れてしまうと、安心して睡眠を取ることができない。
【００１２】
本考案は、このような状況に鑑みてなされたものであり、使用者の衣服や化粧への影響をより少なくして、さらに安心して、より快適に仮眠を取ることができるようにするものである。
【課題を解決するための手段】
【００１３】
本考案の一側面は、机上で用いる枕であって、上側が開いた中空の箱状に形成され、使用者の額、顎および頬の面に沿った凹状の曲面が上側の開口の縁に設けられ、内部の空間を換気するための穴が側面に設けられている顔受けと、顔受けの上側に使用者が顔を当てたときに手前側となる側面であって、左右方向に広がる側面から下面にかけて凸状の可展面状に形成されている、顔受けの下面から突出する支えと、支えの凸状の可展面である部分に設けられている滑り止めとを備える枕である。
【００１４】
椅子に座り机上で用いることにより、使用者の上半身が比較的立った状態で、より軽微な荷重で使用者の額、顎および頬が支えられるので、使用者の衣服や化粧への影響がより少なくなる。使用者の腹や胸が強く折れ曲がることがないので、楽に呼吸をすることができ、より快適に仮眠を取ることができる。さらに、支えの手前側となる左右方向に広がる側面から下面にかけて凸状の可展面状に形成され、そこに滑り止めが設けられているので、滑ることなく、また、左右方向の角度が変わることなく、前後方向の角度を自由に調整することができるので、さらに安心して、より快適に仮眠を取ることができる。
【００１５】
支えの突出する長さを、３ｃｍから９ｃｍまでのいずれかとすることができる。この場合、使用者の上半身が机の角に当たってしまうことがなく、また、使用者の上半身が比較的立った状態で、使用者の腹や胸が強く折れ曲がることがないので、より快適に仮眠を取ることができる。
【００１６】
支えを、略直方体状に形成することができる。このようにすることで、支えと机との間に適切な厚さの物を挟むと、滑り止めと合わせて、より安定して使用者を支えることができるようになり、さらに安心して、より快適に仮眠を取ることができるようになる。
【００１７】
顔受けの上側の開口の縁上に配置され、顔受けの上側に使用者が顔を当てたとき変形して、使用者の額、顎または頬に加わる力を分散し、当たりを和らげる緩衝材をさらに設けることができる。このようにすることで、使用者の顔への当たりが和らげられるので、化粧崩れや顔に跡が残ってしまうことを防止でき、さらに安心して、より快適に仮眠を取ることができる。
【００１８】
緩衝材を、顔受けの上側の開口の縁の全体を覆うように形成することができる。この場合、使用者の顔の全体に力が分散されるので、使用者の顔への当たりがさらに和らげられ、より安心して、より快適に仮眠を取ることができる。
【００１９】
緩衝材を、水切りの良い素材または水が吸収されない素材で成形することができる。このようにすることで、水洗いが容易にでき、また、水洗いの後に比較的早く乾燥できるので、清潔さを容易に保つことができる。
【考案の効果】
【００２０】
以上のように、本考案の一側面によれば、使用者の衣服や化粧への影響をより少なくして、さらに安心して、より快適に仮眠を取ることができる。
【図面の簡単な説明】
【００２１】
【図１】枕１の使用状態を示す図である。
【図２】枕１の構成を示す斜視図である。
【図３】枕１の構成を示す斜視図である。
【図４】本体１１の構造を示す図である。
【図５】本体１１の断面を示す断面図である。
【図６】本体１１の断面を示す断面図である。
【図７】パッド１２の構造を示す図である。
【考案を実施するための形態】
【００２２】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本考案の一側面の枕は、机上で用いる枕（例えば、図１の枕１）であって、上側が開いた中空の箱状に形成され、使用者の額、顎および頬の面に沿った凹状の曲面（例えば、図４の凹面３２）が上側の開口の縁に設けられ、内部の空間を換気するための穴（例えば、図４の換気穴３６）が側面に設けられている顔受け（例えば、図３の顔受け２１）と、顔受けの上側に使用者が顔を当てたときに手前側となる側面であって、左右方向に広がる側面（例えば、図４の側面５１）から下面（例えば、図４の下面５２）にかけて凸状の可展面状に形成されている、顔受けの下面から突出する支え（例えば、図３の支え２２）と、支えの凸状の可展面である部分に設けられている滑り止め（例えば、図４の滑り止め４１）とを備える枕である。
【００２４】
顔受けの上側の開口の縁上に配置され、顔受けの上側に使用者が顔を当てたとき変形して、使用者の額、顎または頬に加わる力を分散し、当たりを和らげる緩衝材（例えば、図２のパッド１２）をさらに設けることができる。
【００２５】
以下、図面を参照しながら本考案の一実施の形態の枕１について説明する。図１は、枕１の使用状態を示す図である。使用者は、椅子に座り、机２の上に枕１を置いて、枕１に顔を当てると、枕１が、頭、首、および上半身を支える。このとき、枕１の下側に設けられている支えによって、左右方向に安定させたまま、手前側方向の角度（前後方向の角度（ピッチング角））を自由に所望する角度に変えることができる。使用者は、この状態で仮眠を取ることができる。
【００２６】
いわゆる突っ伏した状態に比較して使用者の上半身が立った状態になるので、顔にかかる荷重が小さく、より楽に額および顎が支えられる。使用者の胸や腕で身体を支える必要がなく、胸が机の角に当たらないので、使用者の衣服、例えば、ネクタイ、ワイシャツ、背広に皺がよってしまうことがない。また、顔にかかる荷重が小さくできるので、一部の化粧が取れてしまうなど化粧崩れを防止できる。
【００２７】
また、使用者の腹や胸が強く折れ曲がることがないので、楽に呼吸をすることができ、さらに、首で頭を支える必要がなく、頸椎（首）に負担がかからない。顔面で平均的に頭の荷重を支えるので、より快適に仮眠を取ることができる。すなわち、短時間で快眠できる。
【００２８】
例えば、会社（職場）や家庭などいずれの場所でも、昼の食事が終ったときに、その場で、テーブルまたは机２などの上に枕１を置いて、仮眠ができる。枕１を使って、１０分から１５分の仮眠を取れば、快眠でき、眼、頭、身体の疲れが取れ、ストレスが解消される。したがって、その後の仕事の能率が向上することになる。
【００２９】
昼休みの昼食後、短時間で昼寝をしてみても、なかなか寝付けないのが通常である。この枕１を使用すると、身体、特に頸椎（首）に負担がかからないので、すぐにリラックスでき、より速く睡眠状態になる。従って、短い空き時間であっても、昼寝をすることができる。そして、起きた後に頸椎（首）などに違和感を与えることがなく、即座に仕事に取り掛かることができる。
【００３０】
オフィスで使用する場合、机２の上でパーソナルコンピュータに向かって仕事をする姿勢で寝ることができるので、男性であれば、ネクタイ、ワイシャツ、背広に皺がよってしまったりすることがなく、女性であれば、化粧崩れを防止できる。起きた後に、衣服や化粧を直す必要が無いので、より短い空き時間でも昼寝をすることができる。
【００３１】
事務職以外であっても、また、学生や家庭でも、食事の後、横になることなく、テーブルの上で昼寝ができ、同様の効果を得ることができる。使用者は横になる必要がないので、広い場所を別途用意する必要がない。
【００３２】
また、夜勤が必要な業務を行う職種の勤労者、例えば、看護師や警備員などが、空いた短い時間でも、仮眠を取ることが出来る。この場合、いわゆる突っ伏した状態で仮眠を取ると、腕で耳を塞いでしまい、呼び出し音や警報音が聞こえにくくなる恐れがあるが、枕１を用いて仮眠すると、耳を塞ぐ物がないので、業務に支障をきたすことが無い。
【００３３】
このように場所と時間を選ばず仮眠を取ることができるので、仮眠後に使用者の活力が向上し、仕事の能率が上がる。
【００３４】
図２および図３は、枕１の構成を示す斜視図である。図２は、枕１の上側の構成を示し、図３は、枕１の下側の構成を示す。
【００３５】
なお、使用するとき机２に置かれる状態を基準として、枕１に対して前後の方向をＹ軸で図示し、上下の方向をＺ軸で図示し、左右の方向をＸ軸で図示する。また、以下、Ｘ軸方向のうち、図２中の左側を単に左側と称し、Ｘ軸方向のうち、図２中の右側を単に右側と称する。さらに、以下、Ｙ軸方向のうち、図２中の下側を手前側と称し、Ｙ軸方向のうち、図２中の上側を奥側と称する。さらにまた、以下、Ｚ軸方向のうち、図２中の手前側を単に上側と称し、Ｚ軸方向のうち、図２中の奥側を単に下側と称する。なお、下側は、使用者を支えるとき荷重がかかる方向である。また、Ｚ軸方向を、単に上下方向とも称し、Y軸方向を、単に前後方向とも称し、Ｘ軸の方向を左右方向とも称する。
【００３６】
枕１は、本体１１およびパッド１２からなる。本体１１は、概ね箱状に形成されている。本体１１は、枕１が机２やテーブル上に置かれて使用者の顔が当てられている場合、使用者の頭や首などの重さを受けて、支える。パッド１２は、緩衝材の一例であり、本体１１の上側に着脱自在に配置される。パッド１２は、枕１に使用者が顔を当てたとき変形して、使用者の額、顎または頬に加わる力を分散し、当たりを和らげる。なお、パッド１２は、本体１１の上側に固定的に装着し配置しても良い。
【００３７】
本体１１は、発泡スチロールや発泡ポリプロピレンなどのプラスチック、バルサ材やコルク材などの木材、若しくはダンボールやクラフト紙などの紙材など、またはこれらを組み合わせた、透明または不透明の比較的軽量で柔軟な材料で成形される。本体１１を不透明な材料で形成した場合には、使用者の寝顔を見られてしまうことを防止できる。また、本体１１を透明な材料で形成した場合には、使用者は仮眠を取りながら、即座に周囲を視認することができる。
【００３８】
本体１１を比較的柔軟な材料で成形すれば、使用者の顔に痛みを感じさせることがなく、また、使用者の顔に跡が残ることを防止できる。本体１１を比較的軽量な材料で成形すれば、使用の準備をしたり、使用後の片付けをしたりするのが容易になる。
【００３９】
パッド１２は、発泡ウレタンスポンジ若しくは天然スポンジなどのスポンジから形成される。または、パッド１２は、羽毛、綿若しくはそば殻などを詰めた布製の袋、若しくは比較的柔軟なゲル（ジェル）を内包する樹脂製の袋などの柔軟な材料から形成しても、これらとスポンジとを組み合わせて形成するようにしても良い。パッド１２は、本体１１の上側に配置されて、使用者が顔を当てて荷重が加えられた場合、使用者の額、顎および頬の面に沿って変形すると共に、本体１１の上側の形状に沿って変形することで、使用者の額、顎および頬のより広い面に力が加わるようにして、使用者の額、顎または頬に加わる力を分散し、使用者の額、顎または頬への当たりを和らげる。
【００４０】
パッド１２の全体を連続気泡構造体の発泡ウレタンスポンジなどの水切りの良い素材または独立気泡構造体のポリエチレンフォームなどの水が吸収されない素材で成形するか、ポリ塩化ビニルなどの水を吸収しない素材の袋で包む構成とした場合、パッド１２の水洗いが容易にでき、また、水洗いしたパッド１２を比較的早く乾燥できるので、清潔さを容易に保つことができる。また、パッド１２を包む袋を簡単に交換できるようにしてもよい。
【００４１】
本体１１は、顔受け２１および支え２２からなる。
【００４２】
顔受け２１は、上側が開いた中空の箱状に形成されている。ここで、箱状とは、中空の空間を面で囲う構造をいい、直方体状に限らない。言い換えると、顔受け２１には、使用者の鼻および口を入れるための空間を形成する凹部が設けられている。顔受け２１は、人の顔を受けるのに必要な大きさに形成され、使用者の顔が当てられ、使用者の顔を支える。顔受け２１の上側の開口の縁には、使用者の額、顎および頬の面に沿った凹状の曲面が形成されている。すなわち、顔受け２１の上側には、使用者の額、顎および頬の面に沿って当接する曲面が設けられている。
【００４３】
さらに、顔受け２１には、換気のための換気穴が設けられている。なお、顔受け２１は、略直方体の箱状に限らず、中空状で側面および下面を囲う構造であれば足り、多角柱、円筒、半球形、または仮面に近似した形態の箱状に形成することができる。以下、略直方体の箱状の顔受け２１を例に説明する。
【００４４】
支え２２は、顔受け２１の下面から下側に突出している。支え２２は、使用者の頭および首並びに顔受け２１を支えるのに充分な強度と剛性とが得られ形状に形成されている。例えば、支え２２は、略直方体状に形成されている。
【００４５】
例えば、顔受け２１の下面から下側に支え２２の突出する長さは、６ｃｍとされている。顔受け２１の下面から下側に支え２２の突出する長さは、３ｃｍから９ｃｍまでのいずれかとするのが好ましい。
【００４６】
支え２２の部分のうち、手前側の面から下面にかけて、曲面が形成されている。より詳細には、支え２２の部分のうち、手前側の面から下面にかけて、左右方向には直線状となり、上下方向および前後方向には凸状の曲線となる曲面が形成されている。すなわち、支え２２の部分のうち、顔受け２１の上側に使用者が顔を当てたときに手前側となる側面であって、左右方向に広がる側面から下面にかけて凸状の可展面が形成されている。
【００４７】
なお、顔受け２１および支え２２のそれぞれを形成する材料は、同じであっても、異なるものであってもよい。また、支え２２と顔受け２１とは、一体に成形するようにしても、形状による受けまたは嵌め合いとして、取り外し可能としても、接着や粘着またはビス留めなど、取り外しできないように固定するようにしてもよい。
【００４８】
次に、本体１１およびパッド１２のそれぞれの構造の詳細について説明する。まず、本体１１について説明する。図４は、本体１１の構造を示す図である。図４（Ａ）、図４（Ｂ）、図４（Ｃ）、および図４（Ｄ）は、それぞれ、本体１１の構造を示す上面図、左側面図、前面図、および下面図である。なお、右側面図は、左側面図と同様なので、省略する。図５は、図４（Ａ）に示される断面ＡＡ‘における本体１１の断面を示す断面図である。図６は、図４（Ａ）に示される断面ＢＢ‘における本体１１の断面を示す断面図である。
【００４９】
本体１１の顔受け２１の上面には、穴である開口部３１が設けられている。例えば、開口部３１の内側の縁は、上から見て、概ね卵形に形成することができる。開口部３１の縁には、凹面３２が形成されている。凹面３２は、奥側に形成されている額当て面３３、手前側に形成されている顎当て面３４、および左右側のそれぞれに形成されている頬当て面３５からなる。顔受け２１の下面には、顔受け２１の下面から下側に突出するように、支え２２が設けられている。さらに、顔受け２１の左側面および右側面には、換気穴３６が設けられ、顔受け２１の前側面および後側面には、換気穴３７が設けられている。
【００５０】
図４（Ａ）、図５および図６に示されるように、開口部３１は、顔受け２１内部の空間につながり、使用者の顔が当てられたとき、顔受け２１の内部に使用者の鼻および口を入れられるように形成されている。例えば、開口部３１から、使用者の眉毛、目、鼻、および口が顔受け２１の内部の空間に入るように、開口部３１を形成するのが好ましい。
【００５１】
図４（Ａ）、図５および図６に示されるように、凹面３２は、使用者の額、顎および頬の面に沿った凹状の曲面とされている。例えば、凹面３２は、凸状の卵の外形を人の頭の大きさに相当する程度に拡大して、これを反転した形状の凹状の面とすることができる。図５に示されるように、額当て面３３は、使用者の額の面に沿って当接するように凹状の曲面状に形成されている。図５に示されるように、顎当て面３４は、使用者の顎の面に沿って当接するように凹状の曲面状に形成されている。図６に示されるように、頬当て面３５は、使用者の頬およびこめかみの面に沿って当接するように曲面状に形成されている。
【００５２】
顔受け２１の上面に使用者が顔を当てたとき、すなわち、開口部３１から顔受け２１の内部に使用者が鼻および口を入れたとき、凹面３２は、使用者の額、顎および頬の面に沿って当接する。この場合、額当て面３３は、使用者の額に当接し、顎当て面３４は、使用者の顎に当接し、左右それぞれの頬当て面３５は、使用者の左右それぞれの頬およびこめかみに当接する。
【００５３】
頬当て面３５が、使用者の頬およびこめかみに当接すると共に、使用者の顔の左右の位置を規制し、額当て面３３および顎当て面３４が使用者の額と顎とからの荷重を受けるので、使用者は、顔の中で比較的堅い部分である額と顎で、自分の頭と首とを楽に支えることができるようになる。
【００５４】
図４（Ｂ）、図４（Ｃ）、図５および図６に示されるように、換気穴３６および換気穴３７は、顔受け２１内部の空間と顔受け２１の外側とを連接する穴である。顔受け２１の内部の空間の空気が、換気穴３６または換気穴３７から顔受け２１の外に排出され、また、顔受け２１の外の空気が、換気穴３６または換気穴３７から、顔受け２１内部の空間の中に導入される。すなわち、換気穴３６および換気穴３７は、顔受け２１内部の空間を換気するための穴である。
【００５５】
図４（Ｂ）、図４（Ｃ）、図４（Ｄ）、図５および図６に示されるように、支え２２は、顔受け２１の下面から下側に突出している。
【００５６】
支え２２の部分のうち、手前側の面５１から下面５２にかけて、曲面５３が形成されている。曲面５３は、左右方向には直線状となり、上下方向および前後方向には凸状となる可展面である。すなわち、支え２２の部分のうち、顔受け２１の上側に使用者が顔を当てたときに手前側となる側面である面５１であって、左右方向に広がる面５１から下面５２にかけて凸状の可展面である曲面５３が形成されている。支え２２の左右方向の幅は、顔受け２１の左右方向の幅の１／２から顔受け２１の左右方向の幅と同じ幅までのいずれかとされている。すなわち、支え２２の幅は、顔受け２１の幅の半分以上同じ以下とされている。
【００５７】
支え２２の凸状の可展面である曲面５３には、滑り止め４１が設けられている。滑り止め４１は、摩擦係数の比較的高い天然ゴム、合成ゴムやシリコンゴムなどのエラストマー、またはゲルなどの粘着材料などからシート状に形成され、机２の上で本体１１が滑ることを防止し、よって、机２上で枕１が滑ってしまうことを防止する。なお、滑り止め４１は、支え２２と一体に成形することもできるし、支え２２そのものを摩擦係数の比較的高い材質や粘着性を有する材質で成形し、滑り止め４１として機能させることもできる。
【００５８】
支え２２の曲面５３が、左右方向に広がる側面５１から下面５２にかけて凸状の可展面状に形成されているので、枕１の左右方向の角度（いわゆるロール角）が一定で変わることがない。また、同時に、前後方向の角度（いわゆるピッチング角）を自由に調整することができる。曲面５３が、凸状の可展面状に形成されているので、滑り止め４１の一定の面積が常に机２に接することになるので、より滑りにくくなる。枕１がより確実に机２に対して位置決めされるので、枕１を押さえる必要がなくなり、さらにより快適に仮眠を取ることができる。従って、さらに安心して、より快適に仮眠を取ることができる。
【００５９】
なお、曲面５３に溝や凹みを設けるようにしてもよい。このようにすることで、凹凸のある所で使用する場合、機械的な摩擦を増やすことができ、より安定させることができ、また、より滑りにくくなる。
【００６０】
次に、パッド１２の構造の詳細について説明する。図７は、パッド１２の構造を示す図である。図７（Ａ）および図７（Ｂ）は、それぞれ、パッド１２の構造を示す上面図および左側面図である。なお、右側面図は、左側面図と同様であり、下面図は上面図と同様なので、省略する。
【００６１】
パッド１２は、薄い板状に形成されている。パッド１２の外縁は、顔受け２１の上面の外縁と同様の形状に形成されている。パッド１２の内側には、穴６１が成形されている。穴６１の形状は、顔受け２１の開口部３１の形状と概ね同じ形状とされている。例えば、穴６１は、上から見て、概ね卵形に形成することができる。パッド１２が本体１１の顔受け２１の上面に配置されて、使用者の顔が当てられたとき、使用者の鼻および口は、パッド１２の穴６１を通じて、顔受け２１内部に入れられる。
【００６２】
なお、パッド１２は、顔受け２１の上側の開口の縁の全体を覆う形状としても、顔受け２１の上側の開口の縁の一部を覆う形状としても良い。また、パット１２は、複数の部材を組み合わせて構成するようにしても良い。さらにまた、パット１２は、棒状の部材や平板状の部材など、同じ形状または異なる形状の部材を組み合わせて構成しても良い。
【００６３】
このように、顔受け２１は、上側が開いた中空の箱状に形成される。顔受け２１の上側の開口の縁には、使用者の額、顎および頬の面に沿った凹状の凹面３２が設けられる。顔受け２１の側面には、内部の空間を換気するための換気穴３６または換気穴３７が設けられる。顔受け２１の下面から突出する支え２２は、顔受けの上側に使用者が顔を当てたときに手前側となる側面であって、左右方向に広がる側面５１から下面５２にかけて凸状の可展面状に形成される。支え２２の凸状の可展面である部分には、滑り止め４１が設けられる。
【００６４】
このようにすることで、椅子に座り机２の上で用いることにより、使用者の上半身が比較的立った状態で、より軽微な荷重で使用者の額、顎および頬が支えられるので、使用者の衣服や化粧への影響がより少なくなり、さらに、使用者の腹や胸が強く折れ曲がることがないので、楽に呼吸をすることができ、より快適に仮眠を取ることができる。さらに、支え２２の手前側となる左右方向に広がる側面５１から下面５２にかけて凸状の可展面状の曲面５３が形成され、そこに滑り止め４１が設けられているので、滑ることなく、また、左右方向の角度が変わることなく、前後方向の角度を自由に調整することができるので、さらに安心して、より快適に仮眠を取ることができる。
【００６５】
以上のように、使用者の衣服や化粧への影響をより少なくして、さらに安心して、より快適に仮眠を取ることができる。
【００６６】
支え２２の突出する長さは、３ｃｍから９ｃｍまでのいずれかである。この場合、使用者の上半身が机の角に当たってしまうことがなく、また、使用者の上半身が比較的立った状態で、使用者の腹や胸が強く折れ曲がることがないので、より快適に仮眠を取ることができる。
【００６７】
支え２２は、略直方体状に形成されている。支え２２と机２との間に適切な厚さの物を挟むと、滑り止め４１と合わせて、より安定して使用者を支えることができるようになり、さらに安心して、より快適に仮眠を取ることができるようになる。また、支え２２を略直方体状に形成すると、支え２２の下面全体を机２の上面に接するように枕１を机２に置いて枕１を使用することができるので、安定して枕１を支えることもできる。
【００６８】
顔受け２１の上側の開口の縁上に配置され、顔受け２１の上側に使用者が顔を当てたとき変形して、使用者の額、顎または頬に加わる力を分散し、当たりを和らげるパッド１２をさらに設けることができる。この場合、このようにすることで、使用者の顔への当たりが和らげられるので、化粧崩れや顔に跡が残ってしまうことを防止でき、さらに安心して、より快適に仮眠を取ることができる。
【００６９】
パッド１２は、顔受け２１の上側の開口の縁の全体を覆うようにすることができる。この場合、使用者の顔の全体に力が分散されるので、使用者の顔への当たりがさらに和らげられ、より安心して、より快適に仮眠を取ることができる。
【００７０】
パッド１２を、水切りの良い素材または水が吸収されない素材で成形することができる。このようにすることで、水洗いが容易にでき、水洗いの後に比較的早く乾燥できるので、清潔さを容易に保つことができる。
【００７１】
また、枕１の構造は簡単なので、量産が容易であり、安価に製造することができる。
【００７２】
なお、換気穴３６または換気穴３７にはメッシュなどの目隠しを付けて、換気穴３６または換気穴３７から顔受け２１の内部の空間内が見えないようにすることもできる。
【００７３】
また、本考案の実施の形態は、上述した実施の形態に限定されるものではなく、本考案の要旨を逸脱しない範囲において種々の変更が可能である。
【符号の説明】
【００７４】
１  枕，  １１  本体，  １２  パッド，  ２１  顔受け，  ２２  支え，  ３１  開口部，  ３２  凹面，  ３３  額当て面，  ３４  顎当て面，  ３５  頬当て面，  ３６および３７  換気穴，  ４１  滑り止め，  ５１  面，  ５２  下面，  ５３  曲面，  ６１  穴
【図１】
0003197395.tif 000003
【図２】
0003197395.tif 000004
【図３】
0003197395.tif 000005
【図４】
0003197395.tif 000006
【図５】
0003197395.tif 000007
【図６】
0003197395.tif 000008
【図７】
0003197395.tif 000009